(57)【要約】【課題】可動体が壁面に接し、回転しながら移行する磁石による回転玩具を提供する。【解決手段】垂直または傾斜した表面に同極が現れわれるように、１または長手の磁石を横方向にまたは傾斜方向に、または、複数の小磁石１６を横方向にまたは傾斜方向に列状に埋設したベース１１と、柱体の基部１２に、その軸線上または軸線に沿って、基部の長さよりも短い磁石１３を、中間に配設してなる可動体１０とで構成し、可動体１０の基部１２をベース１１の表面に当接させると、双方の磁石１３、１６の磁力の作用で可動体１０がベース１１の表面を回転しながら移行することを可能とする。【選択図】　　　図１
2004033385.tif 000002
【特許請求の範囲】
【請求項１】
垂直または傾斜した表面に、同極が同方向にあらわれるように、１または複数の長手の磁石を横方向または傾斜方向に、または複数の小磁石を横方向または傾斜方向の列状に埋設したベースと、柱体の基部に、その軸線上に、または、軸線に沿って、前記基部の長さよりも短い長さの磁石を、中間に配設してなる可動体とよりなり、　前記可動体の基部を前記ベースの表面に当接すると、双方の磁石の磁力の作用で可動体が前記ベースの表面を回転しながら移行することを可能とした磁石による回転玩具。
【請求項２】
可動体の基部が、円柱体、楕円柱体、五角形以上の多角柱体、または、角がアールのある多角柱体のいずれかよりなることを特徴とする請求項１に記載の磁石による回転玩具。
【請求項３】
可動体が、その基部に具象形を取付けてなることを特徴とする請求項１または２に記載の磁石による回転玩具。
【請求項４】
ベースが、１つの部材よりなるか、または、複数の部材を連結してなり、横に長手の平板、曲面板、または、リング状板をなし、かつ、垂直面または傾斜面を形成してなることを特徴とする請求項１乃至３に記載の磁石による回転玩具。
【請求項５】
ベースが、上方が開口する直状、曲状またはリング状の樋状体をなし、その両側面板のそれぞれの面において同極が向くように、磁石を配設してなることを特徴とする請求項１乃至３に記載の磁石による回転玩具。
【請求項６】
ベースが、柱体、筒体または錐体のいずれかよりなることを特徴とする請求項１乃至３に記載の磁石による回転玩具。
【請求項７】
ベースが、多数の磁石を同極が配列するように埋設したシートを曲げて、端部を係止して筒体または錐体のいずれかにしてなることを特徴とする請求項１乃至３のいずれかに記載の磁石による回転玩具。
【発明の詳細な説明】
【０００１】
【発明の属する技術分野】
この発明は、複数の磁石を列状に間隔をおいて埋設した壁面に磁石を垂直方向に埋設した柱体が接しながら回転し、壁面の磁石に沿って回転移行する玩具に関するものである。
【０００２】
【従来の技術】
従来、可動体を磁石で反発させて浮上させながら横に移行する玩具がある。
この構成の発明の１つとして出願人が先に出願した特願２００２−４１４２１の発明がある。
この発明は、図１０および図１１に示すように、上方が開いた樋状で、その両側面板２のそれぞれの内面に多数の磁石３を、それらの極を同方向にして配設した樋状体１と、樋状体１の樋内に、側面板２、２と間隔をおいて挿入しうる基部４の、樋状体１の両側面板２に対向する両側面で、樋状体１の磁石３の側面板２内面の極と同極が対向するように磁石５を配設した可動体７とよりなり、樋状体１の樋内に可動体７の基部４を挿入すると、磁石３と磁石５が反発して可動体７が浮上し、樋状体１の内面に横方向に複数の磁石３が同極を同方向にして配列しているので、可動体７が浮上した状態で樋内を移行するようになっている。
図中６は基部４上に設けた具象形である。
【０００３】
【発明が解決しようとする課題】
上記発明に係る従来の玩具は、可動体が浮上しながら滑るように移行するだけである。
この発明は、可動体が壁面に接し、移行状態が従来のものとは違う、回転しながら移行する玩具を提供することを目的とする。
【０００４】
【課題を解決するための手段】
垂直または傾斜した表面に、同極が同方向にあらわれるように、１または複数の長手の磁石を横方向または傾斜方向に、または複数の小磁石を横方向または傾斜方向の列状に埋設したベースと、柱体の基部に、その軸線上に、または、軸線に沿って、前記基部の長さよりも短い長さの磁石を、中間に配設してなる可動体とで構成し、前記可動体の基部を前記ベースの表面に当接すると、双方の磁石の磁力の作用で可動体が前記ベースの表面を回転しながら移行することを可能とする。
【０００５】
可動体の基部を、円柱体、楕円柱体、五角形以上の多角柱体、または、角がアールのある多角柱体のいずれかとするのが好ましい。
可動体の基部に具象形を取付けるのが好ましい。
【０００６】
ベースは、１つの部材よりなるか、または、複数の部材を連結してなり、横に長手の平板、曲面板、または、リング状板をなし、かつ、垂直面または傾斜面を形成するのが好ましい。
【０００７】
ベースは、上方が開口する直状、曲状またはリング状の樋状体をなし、その両側面板のそれぞれの面において同極が向くように、磁石を埋設してなることが好ましい。
【０００８】
ベースが、柱体、筒体または錐体のいずれかよりなることを特徴とする請求項１乃至３に記載の磁石による回転玩具。
【０００９】
ベースを、多数の磁石を同極が配列するように埋設したシートを曲げて、端部を係止して筒体または錐体のいずれかにするのが好ましい。
【００１０】
【発明の実施の形態】
この発明の実施の形態を図面により説明する。
この発明に係る玩具は、可動体１０と可動体１０を回転して移行させるベース１１とよりなる。
【００１１】
可動体１０は、プラスチック、木、ゴム等の非磁性体よりなる柱体の基部１２の軸線上に、または、軸線に平行に、すなわち、中心にまたは偏心して、有底の孔を開け、該孔の長さより短い長さの磁石１３を前記孔に挿入し、磁石１６の上方に非磁性体を埋め、基部１２の上部に人形や動物等の具象形１４を設けたものである。
具象形１４は、基部に着脱自在に固定できるようにすれば、具象形１４を取り替えることができて好ましい。
具象形１４は省略し、基部１２だけの可動体としてもよい。
【００１２】
柱体は、円柱体、楕円柱体や、角（かど）にアールを設けた多角形柱体を用いる。五角形以上の多角形柱体の場合には、角にアールを設けても、設けなくてもいずれでもよい。
【００１３】
柱体の基部１２の孔の長さ、孔の底の厚さ、磁石の長さは限定しないが、孔の長さは基部１２の長さの３分の２、底の厚さは３分の１、磁石１６の長さも３分の１位とするのが好ましい。
【００１４】
基部１２に有底の孔を設ける代わりに、貫通孔を設け、その貫通孔内の中間に磁石１３を嵌入し、磁石１３の上下に非磁性体を詰めてもよい。
また、磁石１３を貫通孔内の中間に接着等の方法で固定すれば、磁石の上下に非磁性体を詰めなくてもよい。
【００１５】
ベース１１は、非磁性体の横長のプレート部１５に横方向に同極を同方向に向けて複数の磁石１６を間隔をおいて配列埋設し、プレート部１５を横長状態で立てた状態で、プレート部１５の下縁を台１７を固定したものである。
台１７およびプレート部１５を多少傾斜させるために、台１７の一方の端部に枕１８を設けるのが好ましい。
【００１６】
プレート部１５における磁石１６の配列は、図１に示すように横方向の直線状であってもよく、または曲線状、あるいは波状であってもよい。
また、磁石１６の配列を、プレート部１５の一端から他方の端方向に、下降傾斜する直線状、曲線状または波状のものとしてもよく、この場合は枕１８を設けなくてもよい。
【００１７】
プレート部１５の面と磁石１６の面とは面一にするのが好ましい。
ベース１１のプレート部１５と磁石１６の面をプラスチック被膜１９で覆うのが好ましい。
【００１８】
この玩具は図１および図２に示すように使用する。
図において可動体１０の具象形１４の図示を省略した。
先ず可動体１０の基部１２に埋設した磁石１３の上方の極、図においてＳ極と同極、すなわち図においてＳ極側のプレート部１５の面の一方の端部に基部１２を接触させる。すると基部１２の磁石１３のＳ極はプレート部１５の磁石１６のＳ極と反発し、基部１２は幾分浮上する。この際、基部１２の磁石１３の下方のＮ極は、プレート部１５の磁石１６のＳ極方向に引き寄せられるので、基部の中間部がプレーと部１５の面に引き寄せられ、それにより、基部１２の下部もプレート部１５の面に引き寄せられて接するので、基部１２の下部は、基部１２の上部が磁石の反発によるプレート部１５の面からの離れるのを阻止し、基部１２の側部全面がプレート部１５の面に接した状態となる。
プレート部１５には磁石１６が同極、図においてＳ極を同方向にして横方向に配設されているので、基部１２の磁石１３はプレート部１５の隣接する磁石１６に順次引かれ基部１２が回転して移行する。
【００１９】
基部１２を上記の場合と反対にして、すなわち、基部１２の磁石１３のＮ極を上にして、ベース１１のプレート１５の前記の面と反対の面、すなわち、Ｎ極が外方向に向いている面に、当接させると、上記と同じ作用で可動体は回転しながらプレート部１５の面を移行する。
従って、基部１２の上下に異なった具象形を取付ければ、その具象形を選択し、選んだ具象形を上にして回転させながら移行させることが出来る。
【００２０】
台１７に枕１８を設けてプレート部１５が傾斜しているか、またはプレート部１５の磁石１６の配列状態が上記のとおり傾斜していると、その傾斜上部に基部１２を接触させると、基部１２は自然に傾斜下方へ回転しながら移行する。
枕１８を省略する等磁石１６の配列が傾斜状況にない場合には、プレート部の一端に基部１２を接触させて、指先で軽く押して始動させると基部１２が回転しながら移行する。基部１２が回転して移行するので、摩擦が少なく相当長い距離を移行する。
【００２１】
ベース１１のプレート部１５の面は、図１および図２に示すように平板状であるが、曲面または波状面のものであってもよい。
また、プレート部１５が螺線状、または、円周状、楕円周状等リング状をなすものでもよい。
【００２２】
前記ベース１１は、１枚のプレートを立てたものであるが、図４に示すように、樋状のベース２０であってもよい。
このベース２０は、底部２１の両縁で立設された２つの側面板２２、２２のそれぞれに、先に説明のベース１１のプレート部１５と同様に、複数の磁石１６を間隔をおいて配列する。磁石１６は側面板２２の同一面のものは同極が同方向に向くように配設する。
２つの側面板２２の対向する面の磁石１６は同極が対向するようにしてもよく、または、異極が対向するようにしてもよい。
異極が対向する場合には、基部の上下の具象形を選択して、いずれか一方の側面板２２に基部を当接させる。
【００２３】
底部２１の底面一端に枕（図示省略）を取り付けてベース２０を傾斜させてもよい。
側面板２２、２２は平面状のものを２枚対向させているが、曲面板または波板を２枚対向させてもよい。
【００２４】
このベース２０を用いる場合には、可動体１０の基部１２を、基部１２の磁石１３の上方の極と同じ極の磁石１６が配列されている側面板２２の外面または、２つの側面板２２、２２の内面に当接させると、先に説明したベース１１の場合と同様に、基部１２は側面板２２の外面または内面に接しながら回転して移行する。
【００２５】
ベースは樋状のベース２０を螺線状にしたもの、またはプレート状のベース１１を螺線状にしたものを用いてもよい。
この場合には可動体１０は基部１２を側面板またはプレートに接し、回転しながら螺線状に下降する。
【００２６】
ベースは組立式とするのが好ましい。
図５に示す分割ベース１１ａは、複数の分割ベース１１ａを連結してベース１１を形成するためのものである。
すなわち、分割ベース１１ａは、プレート部１５ａに１または少数個の磁石１６を同極を同方向にして埋設し、磁石１６に直角方向の側面の一方に１または複数の係止突部２３を突設し、他方の面に、他の分割ベース１１ａの係止突部２３が嵌合する凹部を設ける。
分割ベース１１ａの台１７ａの角を削っておけば、２つの分割ベース１１ａの連結角度を変更できる。
この分割ベース１１ａを順次連結することにより、直線状に連結したもの曲線状または波形状に連結したもの、円形形状、楕円形状等リング状に連結したベースを形成することができる。
【００２７】
図６に示す分割ベース２０ａは、複数個を連結してベース２０を形成するためのものである。
分割ベース２０ａは、樋状体の短いものであって、２つの側面板２２ａに１または複数、好ましくは２〜３個の磁石１６を、同極を同方向にして埋設したもので、２つの分割ベース２０ａを連結の際に対向する側面の一方の面に突部２３を設け、他の面に他の分割ベース２０ａの突部２３を嵌入できる凹部２４を設け、２つの分割ベース２０ａの突部２３と凹部２４を嵌合して順次連結して所望の長さとする。
【００２８】
分割ベース２０ａを連結して曲折したベースとする場合には、突部２３および凹部２４を設けてある側面と側面板２２ａとの角度を直角以外の角度とした分割ベースを用意して用うるのが好ましい。
【００２９】
ベースの他の実施の形態を図７および図８により説明する。
図７に示すベース２５は、角にアールを設けた非磁性体の四角柱体で、複数の磁石１６を配設したものである。
磁石１６の配設は、柱体の表面に同極を向けて、１または複数列を螺線状に配設したり、または、１または複数の列をリング状に配設する。
螺線状またはリング状の各列を波状としてもよい。
ベース２５は、軽くするために筒体としてもよい。
【００３０】
ベースは、四角柱体または四角筒体に限らず、角にアールを設けた多角柱体または多角筒体でよく、五角形以上の多角柱体または多角筒体の場合には、角にアールを設けても設けなくてもよい。
【００３１】
図８に示すベース２６は、錐体のベースであって、表面に同極を向けて複数の磁石１６を、１または複数の螺線状またはリング状に配設したものである。
各螺線状またはリング状の列は波状であってもよい。
錐体は漏斗状のものを逆にしたものでもよい。
【００３２】
上記の柱体、筒体または錐体のベースを用いた場合には、可動体をベースの表面に当接させると、前記のとおり双方の磁石の作用で、可動体が回転しながら、ベースの表面を螺線状に、またはリング状に移行する。
【００３３】
筒体または錐体のベースを、複数の磁石１６を埋設したプラスチック、フェルト、ゴム等の非磁性体の可撓性のシートを曲げ、端部を係止して形成することができる。
すなわち、シートを曲げて、端部を接着テープやホック等の係止具で係合するか、または、端部に面ファスナーを取付け、両端部を重ねて筒体または錐体とする。
係合した部分が面一になるように、係合する両端部に段部を設けて、双方の段部で係合させるのが好ましい。
磁石１６は、シートを曲げて筒体または錐体を形成したときに、先に図７および図８の筒体および錐体で説明した様な磁石の配列となるように、シートに磁石を埋設する。
【００３４】
シートで形成した筒体または円錐体に可動体を当接させると、先の実施例の筒体または錐体の場合と同様に、可動体は回転しながら、筒体または錐体の表面を螺線状またはリング状に移行する。
【００３５】
上記いずれの実施例においても、複数の磁石を間隔をおいて埋設したが、間隔を置かないで、磁石を互いに接触させて並べてもよい。
図９の（Ａ）、（Ｂ）はその配列状態の説明図である。
【００３６】
上記いずれの実施例においても、複数の磁石に代えて長手の磁石を用いてもよい。
図９の（Ｃ）は、プレート部に長手の磁石１６ａを配設した状態を示す。図（Ｃ）において、表面に表れた磁石１６ａの面のいずれの箇所も同極であり、プレート部の裏面の磁石の面は表面の極と異なる極である。
【００３７】
【発明の効果】
この発明に係る玩具は、可動体の基部の磁石の上方の極と同極の磁石の面が配列したベースの面に当接させると、ベースの磁石の配列が僅かに傾斜している場合には自然に、ベースの配列が傾斜していない場合には指先で僅かに押すと、可動体は回転しながら移行する。
可動体の基部の上の具象形を選ぶことにより、具象形の回転移行、例えば具象形をバレリーナーとすると、バレリーナーが旋回しながら移行する様を楽しむことができる。また、可動体の基部の上下に具象形を設ければ、上下の具象形のいずれかを上にして回転移行させることができる。
【図面の簡単な説明】
【図１】この発明に係る玩具の斜視図である。
【図２】ベースの斜視図である。
【図３】可動体の斜視図である。
【図４】樋状のベースの斜視図である。
【図５】分割ベースの斜視図である。
【図６】樋状の分割ベースの斜視図である。
【図７】柱状のベースの斜視図である。
【図８】錐状のベースの斜視図である。
【図９】（Ａ）は端面が円形の磁石を複数接して配列した状態の説明図で、（Ｂ）は端面が角形の磁石を複数接して配列した状態の説明図で、（Ｃ）は長手の磁石の配設状態の説明図である。
【図１０】従来の玩具の（Ａ）は可動体、（Ｂ）はベースの斜視図である。
【図１１】従来の玩具の断面図である。
【符号の説明】
１　樋状体
２　側面板
３　磁石
４　基部
５　磁石
６　具象形
７　可動体
１０　可動体
１１　ベース
１２　基部
１３　磁石
１４　具象形
１５　プレート部
１６　磁石
１７　台
１８　枕
１９　プラスチック被膜
２０　ベース
２１　底部
２２　側面板
２３　突部
２４　凹部
２５　ベース
２６　ベース
【図１】
2004033385.tif 000003
【図２】
2004033385.tif 000004
【図３】
2004033385.tif 000005
【図４】
2004033385.tif 000006
【図５】
2004033385.tif 000007
【図６】
2004033385.tif 000008
【図７】
2004033385.tif 000009
【図８】
2004033385.tif 000010
【図９】
2004033385.tif 000011
【図１０】
2004033385.tif 000012
【図１１】
2004033385.tif 000013